(57)【特許請求の範囲】
【請求項１】
ランプと、周面に多数の貫通孔を形成した筒状であって前記周面の前記ランプに向いた面の前記貫通孔より前記ランプの光を入射し前記ランプと反対側の面の前記貫通孔より出射させて投影面に投影する筒状体と、この筒状体をその軸の回りに回転させるモータとを備えていることを特徴とする照明器具。
【請求項２】
前記筒状体は前記貫通孔を有するパンチングメタル製であり、前記投影面に投影されて泡状に動く光が前記投影面で左右に広がるように、前記貫通孔が前記筒状体の軸方向に対して角度を付けて直線的に並んでいる請求項１記載の照明器具。
【請求項３】
前記筒状体が一対あり、この一対の前記筒状体の間に前記ランプを配置した請求項１または請求項２記載の照明器具。
【請求項４】
前記ランプおよび前記筒状体を被覆するカバーを有し、前記カバーは前記貫通孔を出射した光を前記投影面に投影させる窓を有し、前記窓に透光性のパネルを着脱自在に設けている請求項１、請求項２または請求項３記載の照明器具。
【発明の詳細な説明】
【０００１】
【発明の属する技術分野】
この発明は、投影面に模様の動きの変化を生じさせる照明器具に関するものである。
【０００２】
【従来の技術】
従来例（例えば実開平6-15207 号) を図１０に示す。すなわち、この照明器具は、基台１００に設けた火袋１０１の内部に複数の回転部材１０２を設け、これらの回転部材１０２をランプにより照射するとともに、駆動機構により回転部材１０２を回転し、回転部材１０２の反射光を火袋１０１に写し出すことにより、動きのある変化に富んだ模様を表している。１０３は飾り屋根である。
【０００３】
【発明が解決しようとする課題】
しかし、この照明器具は、照射面が火袋１０１となっており、ランプと回転部材１０２と照射面との位置関係が不明瞭であり、また写しだす光の模様とランプと回転部材１０２の形状の関係が不明瞭であるという欠点があった。
したがって、この発明の目的は、模様の動きの変化を生じさせることができるものであって、構成が簡単でかつ明確な模様を投影することができる照明器具を提供することである。
【０００４】
【課題を解決するための手段】
請求項１記載の照明器具は、ランプと、周面に多数の貫通孔を形成した筒状であって前記周面の前記ランプに向いた面の前記貫通孔より前記ランプの光を入射し前記ランプと反対側の面の前記貫通孔より出射させて投影面に投影する筒状体と、この筒状体をその軸の回りに回転させるモータとを備えていることを特徴とするものである。
【０００５】
請求項１記載の照明器具によれば、モータにより筒状体が回転すると、貫通孔により投影面に泡状の模様が動く光を照射することができる。しかも構造が簡単である。
請求項２記載の照明器具は、請求項１において、前記筒状体が前記貫通孔を有するパンチングメタル製であり、前記投影面に投影されて泡状に動く光が前記投影面で左右に拡大するように、前記貫通孔が前記筒状体の軸方向に対して角度を付けて直線的に並んでいるものである。
【０００６】
請求項２記載の照明器具によれば、請求項１と同様な効果のほか、泡状で放射状に広がるように動く光を投影面に照射することができる。
請求項３記載の照明器具は、請求項１または請求項２において、前記筒状体が一対あり、この一対の前記筒状体の間に前記ランプを配置したものである。
請求項３記載の照明器具によれば、請求項１または請求項２と同様な効果のほか、しかも光の見え方がばらつくことなく２つの投影面に照射できる。
【０００７】
請求項４記載の照明器具は、請求項１、請求項２または請求項３において、前記ランプおよび前記筒状体を被覆するカバーを有し、前記カバーは前記貫通孔を出射した光を前記投影面に投影させる窓を有し、前記窓に透光性のパネルを着脱自在に設けているものである。
請求項４記載の照明器具によれば、請求項１、請求項２または請求項３と同様な効果のほか、パネルにより光の模様や動きを変化させることができ、さまざまな光の演出が可能になる。
【０００８】
【発明の実施の形態】
この発明の第１の実施の形態を図１から図３により説明する。すなわち、この照明器具は、ランプ１と、筒状体２と、モータ３とを有する。
ランプ１は、例えばフィラメントの長いＫＴクリプトンランプなどの白熱ランプ等が用いられている。このランプ１はランプソケット４に装着され、ランプソケット４はフランジ５に取付けられている。フランジ５は、図２に示すように壁面６に取付けた取付板７に立設したボルト（図示せず）にフランジ取付ナット８により取付けられている。この場合、ランプ１はフランジ５の中央にランプ１のフィラメント１ａの長手方向が水平姿勢となるように配置される。また取付板７の上部に先端が上方に曲がったカバー取付部９を突設し、取付板７の下部に先端が下方に曲がった係止部１０を設けている。
【０００９】
またランプ１はカバー１１で被覆される。このカバー１１は例えば不透明体の金属材により形成された箱状であり、上面に例えば角形の窓１２を開口してランプ１の光を投影面である天井面１３に向けて照射している。カバー１１の上端に先端がカバー取付部９に突っ張るカバー取付ボルト１４をねじ通し、カバー１１の下端に係止部１０に係止する係合部１５を設けている。カバー１１をフランジ５に被せ係合部１５を係止部１０に係止してカバー取付ボルト１４の先端を取付板７のカバー取付部９に当てて締付けると、カバー１１が取付板７に取付けられる。
【００１０】
筒状体２は、周面に多数の貫通孔１６を形成した筒状であって、周面のランプ１に向いた面１７の貫通孔１６よりランプ１の光を入射し、ランプ１と反対側の面１８の貫通孔１６より出射させて投影面１３に投影する。実施の形態では、ランプ１と窓１２との間に軸方向がフィラメント１ａの長手方向と平行になるようにフランジ５に配置されている。筒状体２は貫通孔１６が丸孔のパンチングメタル製の円筒であり、投影面１３に投影された光が泡状に動くように設けられ、しかも投影面に投影されて泡状に動く光が投影面１３で左右に拡大するように、貫通孔１６が筒状体２の軸方向に対して角度αを付けて直線的に並んでいる。角度αは例えば約２０度程度である。また筒状体２の両端部に軸１９を設け、フランジ５に設けた支持板２０の軸受け孔に回転自在に軸支している。投影面１３は天井面を実施の形態としている。ランプ１の光は貫通孔１６を通り窓１２を通して天井面である投影面１３に投影され、貫通孔１６が模様となって投影される。
【００１１】
モータ３は、筒状体２をその軸１９の回りに回転させる。実施の形態ではモータ３の駆動軸２１を筒状体２の軸１９に連結している。モータ３を駆動することにより筒状体２が軸の回りに回転する。これにより投影面１３に投影された光が泡状に動くように見え、しかも投影面１３に投影された光が泡状に動きかつ投影面で左右に拡大するように見える。
【００１２】
この実施の形態によれば、モータ３により筒状体２が回転すると、貫通孔１６により投影面に泡状の模様が動く光を照射することができる。しかも構造が簡単である。
また筒状体２が貫通孔１６を有するパンチングメタル製であり、投影面１３に投影されて泡状に動く光が投影面１３で左右に拡大するように、貫通孔１６が筒状体２の軸方向に対して角度を付けて直線的に並んでいるため、泡状で放射状に広がるように動く光を投影面１３に照射することができる。
【００１３】
この発明の第２の実施の形態を図４から図６により説明する。すなわち、第１の実施の形態において、筒状体２を一対設けたものであり、この一対の筒状体２の間にランプ１を配置している。この場合、カバー１１は下面にも窓１２と同様な窓を形成し、投影面１３も天井面と床面とになる。
とくに実施の形態では、一対の筒状体２が同形状で貫通孔１６の大きさ、数および配置ともに同じであり、しかも図５に示すように筒状体２の貫通孔１６の直線的な並び方向が筒状体２の軸方向に対して対称となるように、角度±αで反対向きに配置されている。また各筒状体２に連結されるモータ３の位置も互いに反対に配置されることにより互いに逆回転するようにしている。
【００１４】
この実施の形態によれば、２つの投影面１３の光の見え方にばらつきがなくなる。
またランプ１を挟んで一対の筒状体２を配置し、光を照射すると、フィラメント１ａの傾きやランプ１自体の傾きによって、一方は貫通孔１６の並び方向の傾きにフィラメント１ａの傾きが平行に近づき、他方はより角度がつくことによって照射面の光の模様が異なったものとすることができる。
【００１５】
またその他は第１の実施の形態と同様である。
この発明の第３の実施の形態を図７から図９により説明する。すなわち、第１の実施の形態または第２の実施の形態において、窓１２に透光性のパネル２２を着脱自在に設けたものである。２３はその取付ねじであり、取付ねじ２３を外すことによりパネル２２を着脱可能である。
【００１６】
このパネル２２を変えることにより、様々な照射面の光の演出ができる。例えば、図８はパネル２２として透明アクリル製のプリズムパネルを用いたものである。このパネル２２は片面が同図（ｂ）のように凹溝２７を多数並べて波形に形成している。光は同図（ｃ）のように放射状の光２４が矢印の方向またはその反対の方向に流れるように投影面１３に照射される。
【００１７】
また、図９は、別の実施の形態であり、パネル２２が図８の凹溝２７に代えて、多数の凹部２５を縦横に並べたもので、図（ｃ）のようにさざ波のように動く光２６が投影面１３に照射される。
その他は、第１の実施の形態と同様である。また第２の実施の形態に適用する場合には、窓１２の両方および少なくとも一方にパネル２２を設けることができる。
【００１８】
この実施の形態によれば、パネルによりさまざまな光の演出が可能になる。なお、パネル２２は上記のものに限定されず、透過材であれば例えばガラスでも樹脂でも、カラーパネルでもよく、デザイン形状や材質は自由に選択できるものとする。
なお、この発明において、筒状体２の回転駆動はモータ３に限らず他の手段を用いることができる。また筒状体２の支持構造、設置位置および貫通孔の並び方向は任意に設定することができる。また照明器具は、壁面取付けに限らず、例えば天井面取付け、床面取付け、吊下タイプ等が可能である。
【００１９】
【発明の効果】
請求項１記載の照明器具によれば、モータにより筒状体が回転すると、貫通孔により投影面に泡状の模様が動く光を照射することができる。しかも構造が簡単である。
請求項２記載の照明器具によれば、請求項１と同様な効果のほか、泡状で放射状に広がるように動く光を投影面に照射することができる。
【００２０】
請求項３記載の照明器具によれば、請求項１または請求項２と同様な効果のほか、しかも光の見え方がばらつくことなく２つの投影面に照射できる。
請求項４記載の照明器具によれば、請求項１と同様な効果のほか、パネルにより光の模様や動きを変化させることができ、さまざまな光の演出が可能になる。
【図面の簡単な説明】
【図１】この発明の第１の実施の形態のカバーを透過して見た状態の正面図である。
【図２】その断面図である。
【図３】平面図である。
【図４】第２の実施の形態のカバーを透過して見た状態の正面図である。
【図５】メタル孔の並び方向を説明する説明図である。
【図６】（ａ）は図４の断面図、（ｂ）は平面図である。
【図７】第３の実施の形態を示し、（ａ）はカバーを透過して見た正面図、（ｂ）は断面図、（ｃ）は平面図である。
【図８】プリズムパネルを示し、（ａ）はその正面図、（ｂ）は側面図、（ｃ）は光の放射を説明する説明図である。
【図９】別の実施の形態のプリズムパネルを示し、（ａ）はその正面図、（ｂ）は側面図、（ｃ）は投影面に投影された光のさざ波の模様を説明する説明図である。
【図１０】従来例の正面図である。
【符号の説明】
１    ランプ
２    筒状体
３    モータ
１３    投影面
１６    貫通孔
１７    ランプに向いた面
１８    ランプと反対側の面
２２    パネル
【図１】
0003794156.tif 000002
【図２】
0003794156.tif 000003
【図３】
0003794156.tif 000004
【図４】
0003794156.tif 000005
【図５】
0003794156.tif 000006
【図６】
0003794156.tif 000007
【図７】
0003794156.tif 000008
【図８】
0003794156.tif 000009
【図９】
0003794156.tif 000010
【図１０】
0003794156.tif 000011